(57)【要約】【課題】寝ている患者に寝台上において腕、背、腰および脚の関節が曲げられるように手当を施すことにより、患者自身が自力で上半身、下半身および腰の拘縮を防止できるようにする。【解決手段】寝ている患者の手の届く高さ位置に橋架した掴まり棒２に患者２５が掴まる動作をすることにより、上半身の拘縮を防止する。寝ている患者の足裏の届く高さに位置に橋架した足押棒４を患者が足裏で押す動作をすることにより、下半身の拘縮を防止する。寝台に敷設したシート１０の片側を吊上げて、寝ている患者２５の背をそのシート１０で斜めに受けて、患者２５が寝返りをすることにより、腰の拘縮を防止する。【選択図】　　図１
2004089665.tif 000002
【特許請求の範囲】
【請求項１】
寝台上にかつ寝ている患者の手の届く位置に、掴まり棒を橋架した拘縮防止補助具。
【請求項２】
寝台上にかつ寝ている患者の足裏の届く位置に、足押し棒を橋架した拘縮防止補助具。
【請求項３】
梁を寝台上に橋架し、寝ている患者に敷設しているシートの片側を吊上げるためのロープを該梁から垂下すると共に、該ロープの端部の位置を上下動自在に移動できることを特徴とする拘縮防止補助具。
【請求項４】
車輪を具備した一対の架台に、支柱を介して、寝ている患者の手の届く高さの掴まり棒、患者の足裏の届く高さの足押し棒、および、患者に敷設しているシートを吊上げるためのロープを垂下した梁を橋架したことを特徴とする拘縮防止補助装置。
【発明の詳細な説明】
【０００１】
【発明の属する技術分野】
本発明は、寝たきり患者に係る、拘縮を防止するための補助具に関する。
【０００２】
【従来の技術】
患者は、寝たきりの生活を続けると、手足の関節が固くなって拘縮し、手足の動く範囲が制限され、制限された手足の動く範囲を超えて無理に動かすと痛がる。
【０００３】
このため、寝たきりの生活が長く続いた患者は、寝返りや起き上がることが自力でできなくなる。
【０００４】
拘縮が更に進行すると、両下肢が屈曲して、膝を開くことができず、おむつを当てることも困難になる。
【０００５】
以上の事情により、寝たきりにしない介護が熱望されていたが、手足の関節が固くならないようにする手当は、介護者によるマッサージがなされる程度のものであった。
しかし、そのマッサージは、介護者においては大変にきつい肉体労働であるから、短時間の散発的なものになりがちであった。
このため、寝たきりになった患者は、時間の経過に連れて体が固くなって行き、拘縮が進行していくという事例が多かった。
【０００６】
【解決しようとする課題】
寝ている患者に寝台上において腕、背、腰および脚の関節が曲げられるように手当を施すことにより、患者自身が自力で上半身、下半身および腰の拘縮を防止できるようにする。
【０００７】
【課題を解決するための手段】
寝ている患者の手の届く高さ位置に橋架した掴まり棒に患者が掴まる動作をすることにより、上半身の拘縮を防止する。
【０００８】
寝ている患者の足裏の届く高さに位置に橋架した足押棒を患者が足裏で押す動作をすることにより、下半身の拘縮を防止する。
【０００９】
寝台に敷設したシートの片側を吊上げて、寝ている患者の背をそのシートで斜めに受けて、患者が寝返りをすることにより、腰の拘縮を防止する。
【００１０】
【発明の実施の態様】
図１は、本発明の“拘縮防止補助具Ａと拘縮防止補助具Ｂと拘縮防止補助具Ｃ”を具備した寝台において、拘縮防止補助具Ａを使用している状況を表した斜視図である。
【００１１】
拘縮防止補助具Ａは、掴まり棒２が寝ている患者２５の手の届く高さに位置するように、その掴まり棒２の両端におけるそれぞれの端を支柱３の上部に固定すると共に、それぞれの支柱３の下部を寝台１の側面のフレームに固定することによって、掴まり棒２を寝台１に橋架したものである。
【００１２】
寝台１に仰向けに寝ている患者２５は、拘縮防止補助具Ａの掴まり棒２に掴まることによって、手の指の屈伸運動、腕の屈伸運動、肩の関節を動かす運動、背骨を曲げる運動等をすることができるので、上半身の固まりを防ぐことができる。
また、これらの屈伸運動や関節の曲げに係る筋肉の強化をも図ることができる。
【００１３】
拘縮防止補助具Ｂは、梁８が寝台１の床面に敷設しているシート１０の何れか一方の端を吊上げて患者２５の背をシート１０で斜めに保持することのできる高さに位置するように、その梁８の両端におけるそれぞれの端を支柱９の上部に固定すると共に、それぞれの支柱９の下部を寝台１の側面フレームに固定することによって、梁８を寝台１に橋架したものである。
【００１４】
それぞれの支柱９の下部に手動ウインチ１４を設け、梁８から２本のロープ１１が垂下し、各々のロープ１１の下端に掛け具２４が設けられている。
垂下しているロープ１１の反掛け具２４側は、梁８および支柱９の中空部を通って手動ウインチ１４に連結している。
【００１５】
ロープ１１の端部は、ロープ１１を手動ウインチ１４で巻き取ることによって上昇させ、手動ウインチ１４のラチエットを外してからロープ１１の垂下部を引き下げることによって下降させることができるので、位置決めが介護者によって自在にすることができる。
このため、掛け具２４の位置も上下動自在に決めることができる。
【００１６】
使用していないロープ１１の掛け具２４は、梁８に設けたフック２３にそのロープ１１を掛けて、寝台１の上方に宙吊りにして、介護の邪魔にならないようにする。
【００１７】
シート１０の両端は硬質のフレームで構成され、そのフレームはステンレス製または軟鋼製のパイプ或いはナイロン樹脂等の硬質合成樹脂製の棒から成り、掛け具２４を掛ける穴が設けられ、該穴を介して掛け具２４と着脱自在である。
また、シート１０は四隅付近がゴムバンド１２で寝台１の側面フレームに連結されている。
【００１８】
拘縮防止補助具Ｂは、以上の構成をしているので、介護者が患者２５を一方向に傾けるために吊上げる側にある手動ウインチ１４のハンドル１３を操作して、ロープ１１を降下させ、降下させたロープ１１の下端の掛け具２４をシート１０の端部にあるフレーム２０に連結してから、連結している掛け具２４を手動ウインチ１４のハンドル１３操作で上昇させることにより、患者２を傾けることができる。
【００１９】
傾けられた患者２５は、拘縮防止補助具Ａの掴まり棒２や支柱３に掴まって、体を横向きに立つ動作ができるので、背中や腰を捩じる運動ができるので、腰の固まりを防ぐことができる。
このため、患者は寝返りをするに必要な背筋力を更生することができる。
【００２０】
連結している掛け具２４を手動ウインチ１４のハンドル１３操作で下降させたときには、シート１０と寝台１の側面フレームと連結しているゴムバンド１２が縮んで、掛け具２４が掛かっている側のシート１０部分を寝台１の側面フレーム側に引き寄せるので、吊上げられていたシート１０部分は広げられた状態で着床する。
【００２１】
拘縮防止補助具Ｂは、他方向に傾けるためには、他方向側にある手動ウインチ１４に連結しているロープ１１と上昇させる側のシート１０の端部とを連結させて、その手動ウインチ１４を操作すれば良い。
【００２２】
拘縮防止補助具Ｃは、足押棒４が寝ている患者２の足裏の届く高さに位置するように、その足押棒４の両端におけるそれぞれの端を支柱５の上部に固定すると共に、それぞれの支柱５における胴中は寝台１の側面のフレームに枢軸することによって、足押棒４を寝台１に橋架したものである。
そして、それぞれの支柱５における下部は寝台１の脚とコイルバネ７で連結されている。
【００２３】
寝台１に仰向けに寝ている患者２５は、拘縮防止補助具Ｃの足押棒４をコイルバネ７の圧縮力に抗して足裏で押すことによって、足の指の屈伸運動、くるぶしの屈伸運動、膝の屈伸運動運動、股間の関節を曲げる運動等をすることができるので、下半身の固まりを防ぐことができる。
また、これらの屈伸運動や関節の曲げに係る筋肉の強化をも図ることができる。
【００２４】
以上の如く、患者の上半身は拘縮防止補助具Ａによって固くならないから拘縮せず、患者の下半身は拘縮防止補助具Ｃによって固くならないから拘縮せず、患者の腰は拘縮防止補助具Ｂによって固くならないから拘縮しない。
【００２５】
【実施例１】
図４は、本願発明の拘縮防止補助装置Ｅと拘縮防止補助具Ｃを具備した寝台において、拘縮防止補助具Ａを使用している状況を表した斜視図である。
【００２６】
拘縮防止補助装置Ｅは、摺動手段２６に拘縮防止補助具Ａと拘縮防止補助具Ｂを設けたものであり、摺動手段２６は図４に表しているように寝台１の側面フレームに掛かって該側面フレームに沿って左右自在に摺動できる構造をしている。尚、摺動手段２６は、摺動側に車輪を設けて、該車輪を寝台１の側面フレームの面を走行させると、滑らかに摺動させることができる。
【００２７】
拘縮防止補助装置Ｅは、摺動手段２６を該側面フレームに沿って摺動させることによって、使用していないときには拘縮防止補助具Ｃの近くに寄せて置き、使用したいときには図４に表しているように適宜位置に移動させて使用することができる。
【００２８】
【実施例２】
図５は、本願発明の拘縮防止補助装置Ｆを表した斜視図であり、拘縮防止補助装置Ｆは、車輪１９を具備した架台１８に拘縮防止補助具Ａと拘縮防止補助具Ｂと拘縮防止補助具Ｄとを設けたものである。
【００２９】
拘縮防止補助具Ｄは、足押棒４が寝ている患者２５の足裏の届く高さに位置するように、その足押棒４の両端におけるそれぞれの端を支柱１７の上部に固定すると共に、支柱１７の下部を架台１８に枢軸することによって、足押棒４を寝台１に橋架したものである。
尚、それぞれの支柱１７における胴中は、拘縮防止補助具Ｂの支柱１６とコイルバネ７で連結されている。
【００３０】
拘縮防止補助装置Ｆは、押して移動させ、患者２５が寝ている寝台１をその長手方向に挿通させて使用する。
【００３１】
拘縮防止補助装置Ｆは、拘縮防止補助具Ｄの足押棒４が患者２５の足裏の届く位置に移動させて、拘縮防止補助具Ａの支柱１５または拘縮防止補助具Ｂの支柱１６を寝台１の側面フレームに結束具２２で連結する。
【００３２】
拘縮防止補助具Ｄの足押棒４は患者２５の足裏の届く高さに位置設けてあり、寝台１に仰向けに寝ている患者２５は、拘縮防止補助具Ｄの足押棒４をコイルバネ７の圧縮力に抗して足裏で押すことによって、足の指の屈伸運動、くるぶしの屈伸運動、膝の屈伸運動運動、股間の関節を曲げる運動等をすることができるので、下半身の固まりを防ぐことができる。
また、これらの屈伸運動や関節の曲げに係る筋肉の強化をも図ることができる。
【００３３】
以上の事情により、拘縮防止補助装置Ｆを用いることによって、患者２５の上半身、下半身および腰は固くならないから、患者２５の上半身、下半身および腰の拘縮を防止することができる。
【００３４】
【効果】
本願発明の拘縮防止補助具Ａ，Ｂ，Ｃ、または本願発明の拘縮防止補助装置Ｅ、Ｆは、筋力の増強を図ることができるので、患者２５は、寝たきりの生活が長く続いていても、つかまり立ちするために必要な腕力、背筋力、脚力をも寝台上で更生することができるという格別の効果がある。
【図面の簡単な説明】
【図１】本発明の“拘縮防止補助具Ａと拘縮防止補助具Ｂと拘縮防止補助具Ｃ”を具備した寝台において、拘縮防止補助具Ａを使用している状況を表した斜視図である。
【図２】本発明の“拘縮防止補助具Ａと拘縮防止補助具Ｂと拘縮防止補助具Ｃ”を具備した寝台において、拘縮防止補助具Ｃを使用している状況を表した斜視図である。
【図３】本発明の“拘縮防止補助具Ａと拘縮防止補助具Ｂと拘縮防止補助具Ｃ”を具備した寝台において、拘縮防止補助具Ｂを使用している状況を表した斜視図である。
【図４】本発明の“拘縮防止補助装置Ｅと拘縮防止補助具Ｃ”を具備した寝台において、拘縮防止補助具Ａを使用している状況を表した斜視図である。
【図５】本発明の“拘縮防止補助具Ａと拘縮防止補助具Ｂと拘縮防止補助具Ｄ”を具備した拘縮防止装置Ｆと寝台との関係を表した斜視図である。
【図６】本発明の“拘縮防止補助具Ａと拘縮防止補助具Ｂと拘縮防止補助具Ｄ”を具備した拘縮防止補助装置Ｆを寝台に組付けて、拘縮防止補助具Ｄを使用している状況を表した斜視図である。
【符号の説明】
Ａ‥‥‥‥‥‥‥拘縮防止補助具
Ｂ‥‥‥‥‥‥‥拘縮防止補助具
Ｃ‥‥‥‥‥‥‥拘縮防止補助具
Ｄ‥‥‥‥‥‥‥拘縮防止補助具
Ｅ‥‥‥‥‥‥‥拘縮防止補助装置
Ｆ‥‥‥‥‥‥‥拘縮防止補助装置
１‥‥‥‥‥‥‥寝台
２‥‥‥‥‥‥‥掴まり棒
３‥‥‥‥‥‥‥支柱
４‥‥‥‥‥‥‥足押棒
５‥‥‥‥‥‥‥支柱
６‥‥‥‥‥‥‥枢軸部
７‥‥‥‥‥‥‥コイルバネ
８‥‥‥‥‥‥‥梁
９‥‥‥‥‥‥‥支柱
１０‥‥‥‥‥‥シート
１１‥‥‥‥‥‥ロープ
１２‥‥‥‥‥‥ゴムバンド
１３‥‥‥‥‥‥ハンドル
１４‥‥‥‥‥‥手動ウインチ
１５‥‥‥‥‥‥支柱
１６‥‥‥‥‥‥支柱
１７‥‥‥‥‥‥支柱
１８‥‥‥‥‥‥架台
１９‥‥‥‥‥‥車輪
２０‥‥‥‥‥‥フレーム
２１‥‥‥‥‥‥バンド
２２‥‥‥‥‥‥結束具
２３‥‥‥‥‥‥フック
２４‥‥‥‥‥‥掛け具
２５‥‥‥‥‥‥患者
２６‥‥‥‥‥‥摺動手段
【図１】
2004089665.tif 000003
【図２】
2004089665.tif 000004
【図３】
2004089665.tif 000005
【図４】
2004089665.tif 000006
【図５】
2004089665.tif 000007
【図６】
2004089665.tif 000008